(57)【要約】【課題】  携帯情報端末を用いて監視情報を閲覧する際に、種々の条件を指定して監視情報を閲覧可能な遊技機監視システム、監視制御装置及び携帯情報端末を提供する。【解決手段】  ＨＴにおいて監視情報取得メニューを実施すると、最新メニュー、条件指定メニュー、全件メニューを選択することができる。条件指定メニューを選択し表示された条件指定画面５０３の入力項目に、閲覧したいデータの条件を入力し、パチンコ機の前面にある中継タグへ向けて「送信」を選択すると、条件指定情報を含んだ呼出波が送信され、監視情報を記憶しているＲ／Ｗユニットが中継タグを介して受信する。Ｒ／Ｗユニットでは、指定された条件のデータを監視情報から抽出し、中継タグからその抽出データを反射波に載せて返送する。ＨＴは反射波を受信して抽出データを表示パネルに表示する。又、最新メニューを選択すると抽出条件が未送信のデータとされた条件指定情報が送信される。【選択図】  図１２
2006061423.tif 000002
【特許請求の範囲】
【請求項１】
遊技機に取り付けられ、他のＩＣタグと識別するための識別情報を記憶したＩＣタグと無線通信を行うことで遊技機の監視を行う監視制御装置と、携帯可能で表示画面を備えた端末である携帯情報端末とを有する遊技機監視システムであって、
前記監視制御装置は、
前記携帯情報端末と無線通信を行う第１通信手段と、
前記ＩＣタグを呼び出す呼出波を送信し、前記ＩＣタグから返送される反射波を受信するＩＣタグ通信手段と、
前記ＩＣタグの識別情報と、当該ＩＣタグと無線通信を行うためのアンテナとを対応させて記憶する識別情報記憶手段と、
前記ＩＣタグ通信手段により前記ＩＣタグと無線通信が行えない場合、又は、前記識別情報記憶手段に記憶されている識別情報と異なる識別情報のＩＣタグと通信を行った場合にエラーと判断するエラー判断手段と、
当該エラー判断手段による判断の結果に関する情報を監視情報として記憶する監視情報記憶手段と、
前記監視情報の取得を指示する取得指示情報を前記第１通信手段により前記携帯情報端末から受信する取得指示情報受信手段と、
当該取得指示情報受信手段で前記取得指示情報を受信した場合に、予め定められている条件又は前記携帯情報端末から指定された条件に基づいて、前記監視情報記憶手段に記憶されている前記監視情報から、当該監視情報の個々のデータである個別データを抽出する抽出手段と、
当該抽出手段により抽出された前記監視情報を前記第１通信手段により前記携帯情報端末へ送信する監視情報送信手段とを備え、
前記携帯情報端末は、
前記監視制御装置と無線通信を行う第２通信手段と、
前記取得指示情報を第２通信手段により前記監視制御装置へ送信する取得指示情報送信手段と、
前記監視情報送信手段から送信された前記監視情報を第２通信手段により受信する監視情報受信手段と、
当該監視情報受信手段が受信した前記監視情報を前記表示画面に表示する表示制御手段とを備えており、
前記監視情報は、
１つ又は複数の個別データで構成され、
監視場所を識別する符号、個別データを識別する符号、個別データが前記監視情報記憶手段に記憶された日付、個別データが前記監視情報記憶手段に記憶された時刻、前記エラー判断手段により判断された日付、前記エラー判断手段により判断された時刻、前記エラー判断手段によりエラーと判断された理由、前記エラー判断手段の判断結果、及び、前記携帯情報端末へ当該個別データが送信済か否かの情報である出力情報のうちの少なくとも１つの項目を含むことを特徴とする遊技機監視システム。
【請求項２】
前記監視制御装置は、
前記監視情報記憶手段に記憶されている前記監視情報の個別データについて、出力情報が送信済とされているか否かを判断する判断手段を備え、
前記監視情報送信手段は、
当該判断手段により送信済とされていないと判断された個別データを前記第１通信手段により前記携帯情報端末へ送信することを特徴とする請求項１に記載の遊技機監視システム。
【請求項３】
前記出力情報は、送信先の前記携帯情報端末を識別可能に前記監視情報記憶手段に記憶されており、
前記監視情報送信手段は、
前記監視情報記憶手段に記憶されている前記監視情報のうちで、前記取得指示情報を送信した携帯情報端末について前記出力情報が送信済とされていない個別データを送信することを特徴とする請求項２に記載の遊技機監視システム。
【請求項４】
前記携帯情報端末は、
前記監視情報記憶手段に記憶されている前記監視情報の中から取得したい個別データの抽出条件を指定する条件指定手段を備え、
前記取得指示情報送信手段は、前記条件指定手段により指定された前記抽出条件を前記取得指示情報と共に第２通信手段により前記監視制御装置へ送信し、
前記監視制御装置において、
前記抽出手段は、前記抽出条件に基づいて前記監視情報記憶手段に記憶されている前記監視情報を抽出することを特徴とする請求項１乃至３のいずれかに記載の遊技機監視システム。
【請求項５】
前記携帯情報端末において、
前記条件指定手段では、前記監視情報の各項目のうちの少なくとも１つの項目について抽出条件を指定可能であることを特徴とする請求項４に記載の遊技機監視システム。
【請求項６】
前記第１通信手段は、前記監視制御装置に接続したＩＣタグである中継タグであり、
前記第２通信手段は、前記中継タグと通信するためのアンテナ及び通信回路であることを特徴とする請求項１乃至５のいずれかに記載の遊技機監視システム。
【請求項７】
遊技機に取り付けられ、他のＩＣタグと識別するための識別情報を記憶したＩＣタグと無線通信を行うことで遊技機の監視を行う監視制御装置であって、
携帯可能で表示画面を備えた端末である携帯情報端末と無線通信を行う第１通信手段と、
前記ＩＣタグの識別情報と、当該ＩＣタグと無線通信を行うためのアンテナとを対応させて記憶する識別情報記憶手段と、
前記ＩＣタグと無線通信が行えない場合、又は、前記識別情報記憶手段に記憶されている識別情報と異なる識別情報のＩＣタグと通信を行った場合にエラーと判断するエラー判断手段と、
当該エラー判断手段による判断の結果に関する情報を監視情報として記憶する監視情報記憶手段と、
前記監視情報の取得を指示する取得指示情報を前記第１通信手段により前記携帯情報端末から受信する取得指示情報受信手段と、
当該取得指示情報受信手段で前記取得指示情報を受信した場合に、予め定められている条件又は前記携帯情報端末から指定された条件に基づいて、前記監視情報記憶手段に記憶されている前記監視情報から、当該監視情報の個々のデータである個別データを抽出する抽出手段と、
当該抽出手段により抽出された前記監視情報を前記第１通信手段により前記携帯情報端末へ送信する監視情報送信手段とを備え、
前記監視情報は、
１つ又は複数の個別データで構成され、
監視場所を識別する符号、個別データを識別する符号、個別データが前記監視情報記憶手段に記憶された日付、個別データが前記監視情報記憶手段に記憶された時刻、前記エラー判断手段により判断された日付、前記エラー判断手段により判断された時刻、前記エラー判断手段によりエラーと判断された理由、前記エラー判断手段の判断結果、及び、前記携帯情報端末へ当該個別データが送信済か否かの情報である出力情報のうちの少なくとも１つの項目を含むことを特徴とする監視制御装置。
【請求項８】
前記監視情報記憶手段に記憶されている前記監視情報の個別データについて、前記出力情報が送信済とされているか否かを判断する判断手段を備え、
前記監視情報送信手段は、
当該判断手段により送信済とされていないと判断された個別データを前記第１通信手段により前記携帯情報端末へ送信することを特徴とする請求項７に記載の監視制御装置。
【請求項９】
前記出力情報は、送信先の前記携帯情報端末を識別可能に前記監視情報記憶手段に記憶されており、
前記監視情報送信手段は、
前記監視情報記憶手段に記憶されている前記監視情報のうちで、前記取得指示情報を送信した携帯情報端末について前記出力情報が送信済とされていない個別データを送信することを特徴とする請求項８に記載の監視制御装置。
【請求項１０】
前記抽出手段は、
前記携帯情報端末において指定され、前記取得指示情報と共に送信された抽出条件に基づいて前記監視情報記憶手段に記憶されている前記監視情報を抽出することを特徴とする請求項７乃至９のいずれかに記載の監視制御装置。
【請求項１１】
前記抽出条件は、前記監視情報の各項目のうちの少なくとも１つの項目について指定されていることを特徴とする請求項７乃至１０のいずれかに記載の監視制御装置。
【請求項１２】
前記第１通信手段は当該監視制御装置に接続したＩＣタグである中継タグであり、
前記携帯情報端末に備えられている通信回路と前記携帯情報端末に備えられているアンテナを介して通信することを特徴とする請求項７乃至１１のいずれかに記載の監視制御装置。
【請求項１３】
携帯可能で表示画面を備えた端末である携帯情報端末であって、
遊技機に取り付けられ、他のＩＣタグと識別するための識別情報を記憶したＩＣタグと無線通信を行うことで遊技機の監視を行う監視制御装置と無線通信を行う第２通信手段と、
前記監視制御装置による遊技機の監視において作成される監視情報の中から抽出条件を指定する条件指定手段と、
前記監視情報の取得を指示する取得指示情報を第２通信手段により前記監視制御装置へ送信する取得指示情報送信手段と、
前記監視制御装置から送信された前記監視情報を第２通信手段により受信する監視情報受信手段と、
当該監視情報受信手段が受信した前記監視情報を前記表示画面に表示する表示制御手段と
を備えており、
前記取得指示情報送信手段は、前記条件指定手段により前記抽出条件が指定されている場合には、前記抽出条件を前記取得指示情報と共に前記監視制御装置へ送信し、
前記監視情報は、
１つ又は複数の個別データで構成され、
監視場所を識別する符号、個別データを識別する符号、個別データが作成された日付、個別データが作成された時刻、エラーが発生した日付、エラーが発生した時刻、エラーと判断された理由、エラーか否かを判断した判断結果、及び、当該個別データが送信済か否かの情報である出力情報のうちの少なくとも１つの項目を含むことを特徴とする携帯情報端末。
【請求項１４】
前記条件指定手段では、前記監視情報の各項目のうちの少なくとも１つの項目について抽出条件を指定可能であることを特徴とする請求項１３に記載の携帯情報端末。
【請求項１５】
前記監視制御装置は当該携帯情報端末と通信するためのＩＣタグである中継タグを備えており、
前記第２通信手段は、前記中継タグと通信するためのアンテナ及び通信回路であることを特徴とする請求項１３又は１４に記載の携帯情報端末。
【発明の詳細な説明】
【技術分野】
【０００１】
本発明は遊技機監視システム、監視制御装置及び携帯情報端末に関し、詳細には、携帯情報端末を用いて監視情報を閲覧する際に、種々の条件を指定して監視情報を閲覧可能な遊技機監視システム、監視制御装置及び携帯情報端末に関する。
【背景技術】
【０００２】
従来、遊技機においては、遊技者が不当に遊技媒体を獲得する不正行為が後を絶たず、種々の防止策が施されている。例えば、遊技機の制御を司る制御基板や内蔵ＲＯＭを不正なものに交換して遊技状況を有利にする不正行為に対しては、制御基板を収納する基板ボックスに様々な工夫が施されている。また、遊技機の一種であるパチンコ機においては、遊技領域を覆う前面扉の隙間からセルロイド板等の薄い板を挿入して多数の遊技媒体を取得可能な入賞口を不当に開放し、その間に遊技媒体をその入賞口へ入賞させるという不正行為もあり、前面扉からの不正部材の挿入を防止するための様々な工夫が施されている。
【０００３】
そこで、ＩＣタグを用いて遊技機に対する不正行為を監視するシステムが提案されている（例えば、特許文献１参照）。このような監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では、携帯可能な読取装置を用いてＩＣタグ監視装置に記憶されている監視履歴を読み取り、閲覧している。ここで、ＩＣタグ監視装置と読取装置との通信は、ＩＣタグ監視装置に接続され、遊技機の前面に設置された中継タグを介して行われている。
【特許文献１】特開２００４−０８１４６３号公報
【発明の開示】
【発明が解決しようとする課題】
【０００４】
しかしながら、携帯情報端末において監視情報を閲覧する際に、その都度全ての監視情報を監視制御装置から受信していたのでは、通信時間がかかり、実際に閲覧したいデータを探し出すのに手間がかかるという問題点がある。
【０００５】
本発明は、上記課題を解決するためになされたものであり、携帯情報端末を用いて監視情報を閲覧する際に、種々の条件を指定して監視情報を閲覧可能な遊技機監視システム、監視制御装置及び携帯情報端末を提供することを目的とする。
【課題を解決するための手段】
【０００６】
上記課題を解決するため、請求項１に係る発明の遊技機監視システムは、遊技機に取り付けられ、他のＩＣタグと識別するための識別情報を記憶したＩＣタグと無線通信を行うことで遊技機の監視を行う監視制御装置と、携帯可能で表示画面を備えた端末である携帯情報端末とを有する遊技機監視システムであって、前記監視制御装置は、前記携帯情報端末と無線通信を行う第１通信手段と、前記ＩＣタグを呼び出す呼出波を送信し、前記ＩＣタグから返送される反射波を受信するＩＣタグ通信手段と、前記ＩＣタグの識別情報と、当該ＩＣタグと無線通信を行うためのアンテナとを対応させて記憶する識別情報記憶手段と、前記ＩＣタグ通信手段により前記ＩＣタグと無線通信が行えない場合、又は、前記識別情報記憶手段に記憶されている識別情報と異なる識別情報のＩＣタグと通信を行った場合にエラーと判断するエラー判断手段と、当該エラー判断手段による判断の結果に関する情報を監視情報として記憶する監視情報記憶手段と、前記監視情報の取得を指示する取得指示情報を前記第１通信手段により前記携帯情報端末から受信する取得指示情報受信手段と、当該取得指示情報受信手段で前記取得指示情報を受信した場合に、予め定められている条件又は前記携帯情報端末から指定された条件に基づいて、前記監視情報記憶手段に記憶されている前記監視情報から、当該監視情報の個々のデータである個別データを抽出する抽出手段と、当該抽出手段により抽出された前記監視情報を前記第１通信手段により前記携帯情報端末へ送信する監視情報送信手段とを備え、前記携帯情報端末は、前記監視制御装置と無線通信を行う第２通信手段と、前記取得指示情報を第２通信手段により前記監視制御装置へ送信する取得指示情報送信手段と、前記監視情報送信手段から送信された前記監視情報を第２通信手段により受信する監視情報受信手段と、当該監視情報受信手段が受信した前記監視情報を前記表示画面に表示する表示制御手段とを備えており、前記監視情報は、１つ又は複数の個別データで構成され、監視場所を識別する符号、個別データを識別する符号、個別データが前記監視情報記憶手段に記憶された日付、個別データが前記監視情報記憶手段に記憶された時刻、前記エラー判断手段により判断された日付、前記エラー判断手段により判断された時刻、前記エラー判断手段によりエラーと判断された理由、前記エラー判断手段の判断結果、及び、前記携帯情報端末へ当該個別データが送信済か否かの情報である出力情報のうちの少なくとも１つの項目を含むことを特徴とする構成となっている。
【０００７】
また、請求項２に係る発明の遊技機監視システムでは、請求項１に記載の発明の構成に加えて、前記監視制御装置は、前記監視情報記憶手段に記憶されている前記監視情報の個別データについて、出力情報が送信済とされているか否かを判断する判断手段を備え、前記監視情報送信手段は、当該判断手段により送信済とされていないと判断された個別データを前記第１通信手段により前記携帯情報端末へ送信することを特徴とする構成となっている。
【０００８】
また、請求項３に係る発明の遊技機監視システムでは、請求項２に記載の発明の構成に加えて、前記出力情報は、送信先の前記携帯情報端末を識別可能に前記監視情報記憶手段に記憶されており、前記監視情報送信手段は、前記監視情報記憶手段に記憶されている前記監視情報のうちで、前記取得指示情報を送信した携帯情報端末について前記出力情報が送信済とされていない個別データを送信することを特徴とする構成となっている。
【０００９】
また、請求項４に係る発明の遊技機監視システムでは、請求項１乃至３のいずれかに記載の発明の構成に加えて、前記携帯情報端末は、前記監視情報記憶手段に記憶されている前記監視情報の中から取得したい個別データの抽出条件を指定する条件指定手段を備え、前記取得指示情報送信手段は、前記条件指定手段により指定された前記抽出条件を前記取得指示情報と共に第２通信手段により前記監視制御装置へ送信し、前記監視制御装置において、前記抽出手段は、前記抽出条件に基づいて前記監視情報記憶手段に記憶されている前記監視情報を抽出することを特徴とする構成となっている。
【００１０】
また、請求項５に係る発明の遊技機監視システムでは、請求項４に記載の発明の構成に加えて、前記携帯情報端末において、前記条件指定手段では、前記監視情報の各項目のうちの少なくとも１つの項目について抽出条件を指定可能であることを特徴とする構成となっている。
【００１１】
また、請求項６に係る発明の遊技機監視システムでは、請求項１乃至５のいずれかに記載の発明の構成に加えて、前記第１通信手段は、前記監視制御装置に接続したＩＣタグである中継タグであり、前記第２通信手段は、前記中継タグと通信するためのアンテナ及び通信回路であることを特徴とする構成となっている。
【００１２】
また、請求項７に係る発明の監視制御装置では、遊技機に取り付けられ、他のＩＣタグと識別するための識別情報を記憶したＩＣタグと無線通信を行うことで遊技機の監視を行う監視制御装置であって、携帯可能で表示画面を備えた端末である携帯情報端末と無線通信を行う第１通信手段と、前記ＩＣタグの識別情報と、当該ＩＣタグと無線通信を行うためのアンテナとを対応させて記憶する識別情報記憶手段と、前記ＩＣタグと無線通信が行えない場合、又は、前記識別情報記憶手段に記憶されている識別情報と異なる識別情報のＩＣタグと通信を行った場合にエラーと判断するエラー判断手段と、当該エラー判断手段による判断の結果に関する情報を監視情報として記憶する監視情報記憶手段と、前記監視情報の取得を指示する取得指示情報を前記第１通信手段により前記携帯情報端末から受信する取得指示情報受信手段と、当該取得指示情報受信手段で前記取得指示情報を受信した場合に、予め定められている条件又は前記携帯情報端末から指定された条件に基づいて、前記監視情報記憶手段に記憶されている前記監視情報から、当該監視情報の個々のデータである個別データを抽出する抽出手段と、当該抽出手段により抽出された前記監視情報を前記第１通信手段により前記携帯情報端末へ送信する監視情報送信手段とを備え、前記監視情報は、１つ又は複数の個別データで構成され、監視場所を識別する符号、個別データを識別する符号、個別データが前記監視情報記憶手段に記憶された日付、個別データが前記監視情報記憶手段に記憶された時刻、前記エラー判断手段により判断された日付、前記エラー判断手段により判断された時刻、前記エラー判断手段によりエラーと判断された理由、前記エラー判断手段の判断結果、及び、前記携帯情報端末へ当該個別データが送信済か否かの情報である出力情報のうちの少なくとも１つの項目を含むことを特徴とする構成となっている。
【００１３】
また、請求項８に係る発明の監視制御装置では、請求項７に記載の発明の構成に加えて、前記監視情報記憶手段に記憶されている前記監視情報の個別データについて、前記出力情報が送信済とされているか否かを判断する判断手段を備え、前記監視情報送信手段は、当該判断手段により送信済とされていないと判断された個別データを前記第１通信手段により前記携帯情報端末へ送信することを特徴とする構成となっている。
【００１４】
また、請求項９に係る発明の監視制御装置では、請求項８に記載の発明の構成に加えて、前記出力情報は、送信先の前記携帯情報端末を識別可能に前記監視情報記憶手段に記憶されており、前記監視情報送信手段は、前記監視情報記憶手段に記憶されている前記監視情報のうちで、前記取得指示情報を送信した携帯情報端末について前記出力情報が送信済とされていない個別データを送信することを特徴とする構成となっている。
【００１５】
また、請求項１０に係る発明の監視制御装置では、請求項７乃至９のいずれかに記載の発明の構成に加えて、前記抽出手段は、前記携帯情報端末において指定され、前記取得指示情報と共に送信された抽出条件に基づいて前記監視情報記憶手段に記憶されている前記監視情報を抽出することを特徴とする構成となっている。
【００１６】
また、請求項１１に係る発明の監視制御装置では、請求項７乃至１０のいずれかに記載の発明の構成に加えて、前記抽出条件は、前記監視情報の各項目のうちの少なくとも１つの項目について指定されていることを特徴とする構成となっている。
【００１７】
また、請求項１２に係る発明の監視制御装置では、請求項７乃至１１のいずれかに記載の発明の構成に加えて、前記第１通信手段は当該監視制御装置に接続したＩＣタグである中継タグであり、前記携帯情報端末に備えられている通信回路と前記携帯情報端末に備えられているアンテナを介して通信することを特徴とする構成となっている。
【００１８】
また、請求項１３に係る発明の携帯情報端末では、携帯可能で表示画面を備えた端末である携帯情報端末であって、遊技機に取り付けられ、他のＩＣタグと識別するための識別情報を記憶したＩＣタグと無線通信を行うことで遊技機の監視を行う監視制御装置と無線通信を行う第２通信手段と、前記監視制御装置による遊技機の監視において作成される監視情報の中から抽出条件を指定する条件指定手段と、前記監視情報の取得を指示する取得指示情報を第２通信手段により前記監視制御装置へ送信する取得指示情報送信手段と、前記監視制御装置から送信された前記監視情報を第２通信手段により受信する監視情報受信手段と、当該監視情報受信手段が受信した前記監視情報を前記表示画面に表示する表示制御手段とを備えており、前記取得指示情報送信手段は、前記条件指定手段により前記抽出条件が指定されている場合には、前記抽出条件を前記取得指示情報と共に前記監視制御装置へ送信し、前記監視情報は、１つ又は複数の個別データで構成され、監視場所を識別する符号、個別データを識別する符号、個別データが作成された日付、個別データが作成された時刻、エラーが発生した日付、エラーが発生した時刻、エラーと判断された理由、エラーか否かを判断した判断結果、及び、当該個別データが送信済か否かの情報である出力情報のうちの少なくとも１つの項目を含むことを特徴とする構成となっている。
【００１９】
また、請求項１４に係る発明の携帯情報端末では、請求項１３に記載の発明の構成に加えて、前記条件指定手段では、前記監視情報の各項目のうちの少なくとも１つの項目について抽出条件を指定可能であることを特徴とする構成となっている。
【００２０】
また、請求項１５に係る発明の携帯情報端末では、請求項１３又は１４に記載の発明の構成に加えて、前記監視制御装置は当該携帯情報端末と通信するためのＩＣタグである中継タグを備えており、前記第２通信手段は、前記中継タグと通信するためのアンテナ及び通信回路であることを特徴とする構成となっている。
【発明の効果】
【００２１】
請求項１に係る発明の遊技機監視システムでは、監視制御装置の第１通信手段は、携帯情報端末と無線通信を行い、ＩＣタグ通信手段は、前記ＩＣタグを呼び出す呼出波を送信し、前記ＩＣタグから返送される反射波を受信し、識別情報記憶手段は、ＩＣタグの識別情報と、ＩＣタグと無線通信を行うためのアンテナとを対応させて記憶し、エラー判断手段は、ＩＣタグ通信手段によりＩＣタグと無線通信が行えない場合、又は、識別情報記憶手段に記憶されている識別情報と異なる識別情報のＩＣタグと通信を行った場合にエラーと判断し、監視情報記憶手段は、エラー判断手段による判断の結果に関する情報を監視情報として記憶し、取得指示情報受信手段は、監視情報の取得を指示する取得指示情報を第１通信手段により携帯情報端末から受信し、抽出手段は、取得指示情報受信手段で取得指示情報を受信した場合に、予め定められている条件又は携帯情報端末から指定された条件に基づいて、監視情報記憶手段に記憶されている監視情報から、監視情報の個々のデータである個別データを抽出し、監視情報送信手段は、抽出手段により抽出された監視情報を第１通信手段により携帯情報端末へ送信することができる。また、携帯情報端末の第２通信手段は、監視制御装置と無線通信を行い、取得指示情報送信手段は、取得指示情報を第２通信手段により監視制御装置へ送信し、監視情報受信手段は、監視情報送信手段から送信された監視情報を第２通信手段により受信し、表示制御手段は、監視情報受信手段が受信した監視情報を表示画面に表示することができる。そして、監視情報は、１つ又は複数の個別データで構成され、監視場所を識別する符号、個別データを識別する符号、個別データが監視情報記憶手段に記憶された日付、個別データが監視情報記憶手段に記憶された時刻、エラー判断手段により判断された日付、エラー判断手段により判断された時刻、エラー判断手段によりエラーと判断された理由、エラー判断手段の判断結果、及び、携帯情報端末へ個別データが送信済か否かの情報である出力情報のうちの少なくとも１つの項目を含んでいる。したがって、監視制御装置では、予め定められている条件や携帯情報端末で指定された条件に基づいて監視情報を抽出することができるので、監視情報記憶手段に記憶されている監視情報の全てでなく、条件に合致した監視情報のみを携帯情報端末に送信することができ、通信時間が節約される。また、携帯情報端末には抽出された監視情報のみが表示されるので、閲覧したい個別データを探し出しやすい。
【００２２】
また、請求項２に係る発明の遊技機監視システムでは、請求項１に記載の発明の効果に加えて、監視制御装置の判断手段は、監視情報記憶手段に記憶されている監視情報の個別データについて、出力情報が送信済とされているか否かを判断することができる。また、監視情報送信手段は、判断手段により送信済とされていないと判断された個別データを第１通信手段により携帯情報端末へ送信することができる。したがって、送信済でない個別データのみが監視制御装置から携帯情報端末へ送信されるので、まだ閲覧していない個別データのみを閲覧したいような場合に有効である。
【００２３】
また、請求項３に係る発明の遊技機監視システムでは、請求項２に記載の発明の効果に加えて、出力情報は、送信先の携帯情報端末を識別可能に監視情報記憶手段に記憶することができ、監視情報送信手段は、監視情報記憶手段に記憶されている監視情報のうちで、取得指示情報を送信した携帯情報端末について出力情報が送信済とされていない個別データを送信することができる。したがって、携帯情報端末が複数存在するような場合に、各携帯情報端末毎にまだ閲覧していない個別データのみを閲覧することができる。
【００２４】
また、請求項４に係る発明の遊技機監視システムでは、請求項１乃至３のいずれかに記載の発明の効果に加えて、携帯情報の端末条件指定手段は、監視情報記憶手段に記憶されている監視情報の中から取得したい個別データの抽出条件を指定することができる。また、取得指示情報送信手段は、条件指定手段により指定された抽出条件を取得指示情報と共に第２通信手段により監視制御装置へ送信し、監視制御装置の抽出手段は、抽出条件に基づいて監視情報記憶手段に記憶されている監視情報を抽出することができる。したがって、携帯情報端末で閲覧したい個別データの条件を指定して、その条件に合致する監視情報のみに絞り込んで閲覧することができるので、全ての監視情報の中から閲覧したい個別データを探すのに便利である。
【００２５】
また、請求項５に係る発明の遊技機監視システムでは、請求項４に記載の発明の効果に加えて、携帯情報端末の条件指定手段では、監視情報の各項目のうちの少なくとも１つの項目について抽出条件を指定可能である。したがって、個別データのデータ項目である、監視場所を識別する符号、個別データを識別する符号、監視情報記憶手段に記憶された日付、監視情報記憶手段に記憶された時刻、エラー判断手段により判断された日付、エラー判断手段により判断された時刻、エラー判断手段によりエラーと判断された理由、エラー判断手段の判断結果、及び、出力情報を指定して抽出条件とすることができる。
【００２６】
また、請求項６に係る発明の遊技機監視システムでは、請求項１乃至５のいずれかに記載の発明の効果に加えて、第１通信手段として、監視制御装置に接続したＩＣタグである中継タグを使用し、第２通信手段として、中継タグと通信するためのアンテナ及び通信回路を使用することができる。したがって、中継タグを利用して携帯情報端末と監視制御装置との通信を行うことができる。
【００２７】
また、請求項７に係る発明の監視制御装置では、第１通信手段は、携帯可能で表示画面を備えた端末である携帯情報端末と無線通信を行い、識別情報記憶手段は、ＩＣタグの識別情報と、ＩＣタグと無線通信を行うためのアンテナとを対応させて記憶し、エラー判断手段は、ＩＣタグと無線通信が行えない場合、又は、識別情報記憶手段に記憶されている識別情報と異なる識別情報のＩＣタグと通信を行った場合にエラーと判断し、監視情報記憶手段は、エラー判断手段による判断の結果に関する情報を監視情報として記憶し、取得指示情報受信手段は、監視情報の取得を指示する取得指示情報を第１通信手段により携帯情報端末から受信し、抽出手段は、取得指示情報受信手段で取得指示情報を受信した場合に、予め定められている条件又は携帯情報端末から指定された条件に基づいて、監視情報記憶手段に記憶されている監視情報から、監視情報の個々のデータである個別データを抽出し、監視情報送信手段は、抽出手段により抽出された監視情報を第１通信手段により携帯情報端末へ送信することができる。また、監視情報は、１つ又は複数の個別データで構成され、監視場所を識別する符号、個別データを識別する符号、個別データが監視情報記憶手段に記憶された日付、個別データが監視情報記憶手段に記憶された時刻、エラー判断手段により判断された日付、エラー判断手段により判断された時刻、エラー判断手段によりエラーと判断された理由、エラー判断手段の判断結果、及び、携帯情報端末へ個別データが送信済か否かの情報である出力情報のうちの少なくとも１つの項目を含んでいる。したがって、監視制御装置では、予め定められている条件や携帯情報端末で指定された条件に基づいて監視情報を抽出することができるので、監視情報記憶手段に記憶されている監視情報の全てでなく、条件に合致した監視情報のみを携帯情報端末に送信することができ、通信時間が節約される。また、携帯情報端末には抽出された監視情報のみが表示されるので、閲覧したい個別データを探し出しやすい。
【００２８】
また、請求項８に係る発明の監視制御装置では、請求項７に記載の発明の効果に加えて、判断手段は、監視情報記憶手段に記憶されている監視情報の個別データについて、出力情報が送信済とされているか否かを判断することができる。また、監視情報送信手段は、判断手段により送信済とされていないと判断された個別データを第１通信手段により携帯情報端末へ送信することができる。したがって、すでに送信済で携帯情報端末により閲覧された個別データを再度送信して、送信時間を無駄にすることがない。また、携帯情報端末で監視情報を閲覧する場合においても、直近のデータを閲覧したいような場合には有効である。
【００２９】
また、請求項９に係る発明の監視制御装置では、請求項８に記載の発明の効果に加えて、出力情報は、送信先の携帯情報端末を識別可能に監視情報記憶手段に記憶することができ、監視情報送信手段は、監視情報記憶手段に記憶されている監視情報のうちで、取得指示情報を送信した携帯情報端末について出力情報が送信済とされていない個別データを送信することができる。したがって、携帯情報端末が複数あるような場合であっても、それぞれの携帯情報端末に送信済でない個別データを抽出して送信することができる。
【００３０】
また、請求項１０に係る発明の監視制御装置では、請求項７乃至９のいずれかに記載の発明の効果に加えて、抽出手段が、携帯情報端末において指定された抽出条件に基づいて監視情報記憶手段に記憶されている監視情報を抽出することができる。
【００３１】
また、請求項１１に係る発明の監視制御装置では、請求項７乃至１０のいずれかに記載の発明の効果に加えて、抽出条件として、監視情報の各項目のうちの少なくとも１つの項目を指定することができる。したがって、監視場所を識別する符号、個別データを識別する符号、個別データが監視情報記憶手段に記憶された日付、個別データが監視情報記憶手段に記憶された時刻、エラー判断手段により判断された日付、エラー判断手段により判断された時刻、エラー判断手段によりエラーと判断された理由、エラー判断手段の判断結果、及び、出力情報のうちの少なくとも１つを検索条件として指定できるので、閲覧する個別データを絞り込むことができる。
【００３２】
また、請求項１２に係る発明の監視制御装置では、請求項７乃至１１のいずれかに記載の発明の効果に加えて、第１通信手段として監視制御装置に接続したＩＣタグである中継タグを使用することができ、携帯情報端末に備えられている通信回路と携帯情報端末に備えられているアンテナを介して通信することができる。
【００３３】
また、請求項１３に係る発明の携帯情報端末では、第２通信手段は、遊技機に取り付けられ、他のＩＣタグと識別するための識別情報を記憶したＩＣタグと無線通信を行うことで遊技機の監視を行う監視制御装置と無線通信を行い、条件指定手段は、監視制御装置による遊技機の監視において作成される監視情報の中から抽出条件を指定し、取得指示情報送信手段は、監視情報の取得を指示する取得指示情報を第２通信手段により監視制御装置へ送信し、監視情報受信手段は、監視制御装置から送信された監視情報を第２通信手段により受信し、表示制御手段は、監視情報受信手段が受信した監視情報を表示画面に表示することができる。そして、取得指示情報送信手段は、条件指定手段により抽出条件が指定されている場合には、抽出条件を取得指示情報と共に監視制御装置へ送信しすることができる。また、監視情報は、１つ又は複数の個別データで構成され、監視場所を識別する符号、個別データを識別する符号、個別データが作成された日付、個別データが作成された時刻、エラーが発生した日付、エラーが発生した時刻、エラーと判断された理由、エラーか否かを判断した判断結果、及び、個別データが送信済か否かの情報である出力情報のうちの少なくとも１つの項目を含んでいる。
【００３４】
また、請求項１４に係る発明の携帯情報端末では、請求項１３に記載の発明の効果に加えて、条件指定手段では、監視情報の各項目のうちの少なくとも１つの項目について抽出条件を指定可能である。
【００３５】
また、請求項１５に係る発明の携帯情報端末では、請求項１３又は１４に記載の発明の効果に加えて、監視制御装置は携帯情報端末と通信するためのＩＣタグである中継タグを備えており、第２通信手段として、中継タグと通信するためのアンテナ及び通信回路を使用することができる。
【発明を実施するための最良の形態】
【００３６】
以下、本発明の一実施の形態について図面を参照して以下の順で説明する。
１．システム構成の概要説明
２．装置の説明
３．監視場所の説明
４．ＩＣタグの説明
５．携帯情報端末の説明
６．監視情報の説明
７．監視情報参照処理の説明
８．ＨＴ４００の動作の説明
９．Ｒ／Ｗユニット３０の動作の説明
１０．実施の形態と請求項との対比
１１．変形例の説明
【００３７】
１．システム構成の概要説明
図１は、本実施の形態の遊技機監視システムの構成図である。パチンコ機１にはパチンコ機１の部材の監視を行う「監視制御装置」であるリーダライタユニット（以下、Ｒ／Ｗユニット）３０が付属しており、遊技場内にある複数台のパチンコ機１を背中合わせに２列に並べて設置した遊技機設置島２００の各々に島管理端末１００が設置されている。さらに、パチンコ機１に付属のＲ／Ｗユニット３０が無線通信による店内ネットワーク１５０を介して島管理端末１００に接続される構成となっている。また、島管理端末１００は遊技場全体を管理する遊技場管理端末３００に接続されており、この遊技場管理端末３００が各島管理端末１００を一括管理している。また、「携帯情報端末」であるハンディターミナル（以下、「ＨＴ」と称する。）４００は、携帯可能でパチンコ機１と無線で通信可能である。
【００３８】
尚、パチンコ機１には、監視を行う場所に「ＩＣタグ」である監視タグ８６が備えられ、正常に設置されている場合に監視タグ８６と通信可能な位置に監視アンテナ６８が備えられている。本実施の形態では、機枠や基板ボックス等合計３箇所に備えられているが、具体的な設置場所については図２および図３を参照して後述する。そして、監視の結果、異常が発生したり、異常が回復したりした場合には、その情報が監視情報としてＲ／Ｗユニット３０のＲＡＭ３４（図４参照）に記憶される。また、異常が回復した場合には、その監視場所に備えられている監視タグ８６のＥＥＰＲＯＭ８６３（図５参照）に、異常の発生情報と回復情報が監視情報として記憶される。また、これらの情報は島管理端末１００に送信されて、さらに遊技場管理端末３００へ送信される。島管理端末１００は受信した監視情報を報知し、その監視情報に対して遊技場内で係員が対応できるように構成されており、遊技場管理端末３００では店内ネットワーク１５０に接続している全てのパチンコ機１の監視情報を収集し、蓄積することができるように構成されている。
【００３９】
そして、ＨＴ４００では、種々の条件を指定し、Ｒ／Ｗユニット３０に記憶されている監視情報を閲覧することができる。また、Ｒ／Ｗユニット３０は認証アンテナ６９を備えたカード読み取り器９０（図４参照）を接続しており、遊技場の係員が所有する認証カード９９に組み込まれている認証タグ９６と通信する。そして、Ｒ／Ｗユニット３０では認証カード９９を認識すると、係員作業中と判断して、Ｒ／Ｗユニット３０を認証状態として、島管理端末１００において監視情報を報知しないようにしている。尚、カード読み取り器９０は、パチンコ機１の上部、パチンコ機１とパチンコ機１との間に設置されているカードサンド（図示外）の上部等パチンコ機１の近隣に設置されている。
【００４０】
２．装置の説明
次に、図２乃至図４を参照してパチンコ機１の構造、パチンコ機１に備えられたＲ／Ｗユニット３０について説明する。図２は、パチンコ機１の前面枠１１１及び本体枠１１０を開いた状態をパチンコ機１の前面から見た斜視図である。図３はパチンコ機１の背面図である。図４は、パチンコ機１及びパチンコ機１に付属したＲ／Ｗユニット３０の電気的構成を示すブロック図である。
【００４１】
図２に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられており、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００４２】
次に、図３を参照して、パチンコ機１の背面の構造について説明する。図３はパチンコ機１の背面図である。図３に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤の裏面を保護し、各種配線を覆うセンターカバー８０が配置され、そのセンターカバー８０の外側には、Ｒ／Ｗユニット３０が設置されている。尚、Ｒ／Ｗユニット３０の電源は、電源基板４２からではなく遊技機設置島２００の電源装置（図示外）から供給されている。
【００４３】
次に、図４を参照してパチンコ機１及びＲ／Ｗユニット３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とが接続している。また、ＣＰＵ５１は、Ｉ／Ｏインタフェイス５４に接続しており、Ｉ／Ｏインタフェイス５４には、サブ統合基板５８、払出制御基板４５、中継基板４７が接続している。さらに、サブ統合基板５８には図柄表示基板４４、電飾基板４６、音基板４３が接続され、払出制御基板４５には発射基板６６が接続されている。電源基板４２は遊技機設置島に備えられた電源から電源供給を受けており、主基板４１、サブ統合基板５８、払出制御基板４５、発射基板６６に電源供給を行っている。
【００４４】
また、Ｒ／Ｗユニット３０には、Ｒ／Ｗユニット３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６ａ，監視タグ８６ｂ，監視タグ８６ｃへ呼出波を送信し、反射波を受信するためのＲａｄｉｏ  Ｆｒｅｑｕｅｎｃｙ回路（以下、ＲＦ回路と称する）３８、パチンコ機１の主基板４１の出力ポート５５と接続する入力ポート３９、時間管理を行うＲＴＣ７１、Ｉ／Ｏインタフェイス３７が接続している。Ｉ／Ｏインタフェイス３７には、島管理端末１００に接続するための店内ネットワーク１５０に接続する通信回路３６が接続されている。さらに、ＨＴ４００と通信するための中継タグ２４がＩ／Ｏインタフェイス３７に接続している。尚、この中継タグ２４は図２に示すように、パチンコ機１の前面枠１１１の内側の開閉軸側上部にに貼り付けられており、ケーブル２４ｋを介してＩ／Ｏインタフェイス３７に接続している。さらに、ＲＦ回路３８に監視タグ８６ａ，監視タグ８６ｂ，監視タグ８６ｃと通信するための監視アンテナ６８ａ，監視アンテナ６８ｂ，監視アンテナ６８ｃ、及び、認証カード９９の認証タグ９６と通信するための認証アンテナ６９が接続されている。尚、認証アンテナ６９は、パチンコ機１の近隣に設置されたカード読み取り器９０に取り付けられている。
【００４５】
尚、監視タグ８６ａ，監視タグ８６ｂ，監視タグ８６ｃは、パチンコ機１の各監視場所に貼り付けられており、各監視場所が閉じられている状態で各監視タグ８６ａ，監視タグ８６ｂ，監視タグ８６ｃと通信可能な位置に監視アンテナ６８ａ，監視アンテナ６８ｂ，監視アンテナ６８ｃが設置されている。そして、監視アンテナ６８ａは監視タグ８６ａと通信をし、監視アンテナ６８ｂは監視タグ８６ｂと通信をし、監視アンテナ６８ｃは監視タグ８６ｃと通信をする。尚、監視場所と、監視タグ８６との対応関係はＲＡＭ３４の監視場所情報記憶エリア（図示外）に記憶されており、例えば、第１監視場所の監視を行う際には、監視アンテナ６８ａから呼出波を送信し、受信した反射波に含まれる識別情報と、監視場所情報記憶エリアに第１監視場所に対応して記憶されている識別情報とが比較される。
【００４６】
３．監視場所の説明
次に、図２、図３を参照して、監視タグ８６ａ〜８６ｃが備えられている監視場所について説明する。監視場所は、主基板４１が収容されている主基板ボックス８１（第１監視場所）、本体枠１１０と機枠１１２（第２監視場所）、前面枠１１１と本体枠１１０（第３監視場所）の３箇所であり、その開閉が監視されている。尚、第１監視場所である主基板ボックス８１を監視するために、監視タグ８６ａ及び監視アンテナ６８ａ（図３では図示外、図４参照）が使用され、第２監視場所である本体枠１１０と機枠１１２を監視するために、監視タグ８６ｂ及び監視アンテナ６８ｂが使用され、第３監視場所である前面枠１１１と本体枠１１０を監視するために、監視タグ８６ｃ及び監視アンテナ６８ｃが使用される。
【００４７】
図３に示すように、主基板ボックス８１の図３における正面視右下の内面には監視タグ８６ａが貼り付けられている。尚、主基板ボックス８１は、透明な樹脂製の平面視略長方形の上蓋部と、同じく透明な樹脂製の平面視略長方形の下蓋部とから構成されおり、上蓋部に対向する下蓋部上にパチンコ機１の主制御を司る主基板４１が配置されている。そして、上蓋部の裏面側には、小型で長方形の監視タグ８６ａが接着剤等で接着されている。さらに、主基板４１の右下端部には切り欠きが設けられ、下蓋部の切り欠きに対向する位置にコイル状の監視アンテナ６８ａが設けられ、この監視タグ８６ａ用の監視アンテナは同軸ケーブルによりＲ／Ｗユニット３０のＲＦ回路３８に接続されている。よって、主基板ボックス８１が開けられた場合には、監視タグ８６ａは監視アンテナ６８ａと通信不能となる。
【００４８】
また、図２に示すように、機枠１１２の図２における右枠の内面には監視タグ８６ｂが貼り付けられており、本体１１３の右側面には監視アンテナ６８ｂが備えられている。尚、監視タグ８６ｂと監視アンテナ６８ｂとは本体枠１１０と機枠１１２とが閉じられた場合に、向き合う位置に配置されている。そして、本体枠１１０と機枠１１２とが閉じられている状態（正常な状態）では、監視タグ８６ｂと監視アンテナ６８ｂとが通信可能となり、本体枠１１０と機枠１１２とが開けられた状態（異常な状態）では、監視タグ８６ｂと監視アンテナ６８ｂとが通信不能となる。また、前面枠１１１と本体枠１１０とが閉じられた状態での、前面枠１１１の正面視右上の裏面（本体枠１１０と向き合う面）には、監視タグ８６ｃが貼り付けられている。そして、本体枠１１０の上枠の表面（前面枠１１１と向き合う面）には、監視アンテナ６８ｃが備えられている。尚、監視タグ８６ｃと監視アンテナ６８ｃとは前面枠１１１と本体枠１１０とが閉じられた場合に、向き合う位置に配置されている。そして、前面枠１１１と本体枠１１０とが閉じられている状態（正常な状態）では、監視タグ８６ｃと監視アンテナ６８ｃとが通信可能となり、前面枠１１１と本体枠１１０とが開けられた状態（異常な状態）では、監視タグ８６ｃと監視アンテナ６８ｃとが通信不能となる。
【００４９】
尚、本実施形態において、監視タグ８６と監視アンテナ６８は、１３．５６ＭＨｚの短波帯で通信を行っている。この周波数での通信はノイズによる影響を比較的受けにくいため、パチンコ機１の設置環境に適している。監視アンテナ６８ａと監視タグ８６ａとの距離は、上蓋部と下蓋部を組み付けた状態で約３ｍｍになるように配置されている。この距離間ではＲＦ送受信が可能であり監視アンテナ６８ａを介したＲ／Ｗユニット３０からの呼び出しに監視タグ８６ａが応答することができ、監視アンテナ６８ａと監視タグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部のわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視タグ８６や監視アンテナ６８は、ソレノイドを使用している払出装置や発射基板６６の発射モータから離した位置である主基板４１の右下端部に配置している。
【００５０】
４．ＩＣタグの説明
次に、図５を参照して監視タグ８６ａ〜８６ｃの構造について説明する。図５は、監視タグ８６ａ〜８６ｃの電気的回路構成を示すブロック図である。監視タグ８６ａ〜８６ｃは、それぞれ同様の構造をしており、薄いフレキシブルプリント基板上にアンテナ８６２及びＩＣチップ８６４が設けられている。図５に示すように、監視タグ８６のＩＣチップ８６４には、Ｒ／Ｗユニット３０からの呼出波に応答して反射波を放出するＲＦ回路８６１とＥＥＰＲＯＭ８６３が一体となって構成されており、ＲＦ回路８６１はアンテナ８６２を接続している。さらに、ＥＥＰＲＯＭ８６３には、監視タグ８６を他の監視タグから識別するための識別情報であるＩＤコードが上書消去禁止区域に記憶されている。
【００５１】
この監視タグ８６は、Ｒ／Ｗユニット３０から監視アンテナ６８を介して呼出波が送られてくると、アンテナ８６２がこれを受信するが、この呼出波には搬送波成分が含まれており、これを受信してＲＦ回路８６１で整流して直流電圧を得る。したがって、監視タグ８６は、電池や外部電源を使用せずに必要な時にいつでもデータを送信することができる。データの送信は、ＥＥＰＲＯＭ８６３からＩＤコードを読み出して反射波に乗せ、ＲＦ回路８６１から送信する。
【００５２】
また、図６は、中継タグ２４の電気的回路構成を示すブロック図である。中継タグ２４も監視タグ８６ａ〜８６ｃと同様に、薄いフレキシブルプリント基板上にアンテナ２４ｂ及びＩＣチップ２４ｄが設けられており、さらに、Ｒ／Ｗユニット３０へ接続するためのケーブル２４ｋが設けられている。また、ＩＣチップ２４ｄにはＲＦ回路２４ａとＥＥＰＲＯＭ２４ｃだけでなく、ＲＡＭ２４ｇ内蔵型のＣＰＵ２４ｆ及びＲＯＭ２４ｅを備えている。そして、監視タグ８６ａ〜８６ｃと同様に、ＥＥＰＲＯＭ２４ｃには、中継タグ２４を他のＩＣタグと識別するための識別情報であるＩＤコードが上書消去禁止区域に記憶されている。
【００５３】
５．携帯情報端末の説明
次に、図７及び図８を用いてＨＴ４００について説明する。このＨＴ４００では、パチンコ機１の前面枠１１１の内側の開閉軸側上部に備えられた中継タグ２４（図６参照）と通信し、Ｒ／Ｗユニット３０に記憶されている監視情報を取得して閲覧したり、監視タグの交換に伴うＩＤコードの変更等の設定を行ったりすることができる。図７は、ＨＴ４００の斜視図である。図８は、ＨＴ４００の電気的構成のブロック図である。
【００５４】
まず、図７を参照してＨＴ４００の形状を説明する。図７に示すように、ＨＴ４００は、周知の携帯型情報端末であるＰＤＡ（Personal Digital Assistants）であり、上部にＳＤメモリカード（Secure Digital Memory Card）やＭＭＣ（Multi Media Card）等のメモリカード、あるいは小型フラッシュメモリカードやＰＣカード型のＰＨＳアダプタ等を挿入するためのカードスロットを備え、カードスロットには、アンテナ４０２とＲＦ回路４１０（図８参照）を備えた読取ユニット４０１が挿入されている。読取ユニット４０１は、アンテナ４０２を中継タグ２４に適切な角度で向けられるように、回転軸４０６を中心に９０度の範囲で屈折可能な構成となっている。また、ＨＴ４００の正面にはメニュー画面や受信した監視情報を表示する表示パネル４０３、表示パネル４０３に表示されるカーソルや表示内容を上下左右に移動させるための方向キー４０５、表示パネル４０３の画面を操作するためのメニューキー４０４を備えている。さらに、ＨＴ４００の側面には赤外線通信用の赤外線通信ポート（図示外）が、底面には入出力ポート（図示外）からクレードル等を介してパーソナルコンピュータ等の外部機器に接続するためのコネクタ（図示外）が設けられている。
【００５５】
次に、図８を参照してＨＴ４００の電気的構成を説明する。図８に示すように、ＨＴ４００には、ＨＴ４００の制御を司るＣＰＵ４１１が設けられ、ＣＰＵ４１１には、各種のデータを一時的に記憶するＲＡＭ４１３と、ＣＰＵ４１１で実行される制御プログラムや表示パネル４０３に操作画面を表示するための画面情報等を記憶したＲＯＭ４１２と、不揮発性メモリの一種であるフラッシュメモリ４１４と、データの受け渡しの仲介を行うＩ／Ｏインタフェイス４０９とが接続されている。フラッシュメモリ４１４には、パチンコ機１から取得した監視情報や、パチンコ機毎の中継タグ２４のＩＤコード等が記憶されている。また、読取ユニット４０１は、中継タグ２４と通信するアンテナ４０２と、送信回路及び受信回路であるＲＦ回路４１０を備えており、アンテナ４０２はＲＦ回路４１０に接続し、ＲＦ回路４１０はＩ／Ｏインタフェイス４０９に接続している。また、表示パネル４０３と、外部装置とデータのやり取りを行う入出力回路４０７と、赤外線通信回路４０８と、入力キーであるメニューキー４０４及び方向キー４０５とがＩ／Ｏインタフェイス４０９に接続している。
【００５６】
６．監視情報の説明
次に、Ｒ／Ｗユニット３０のＲＡＭ３４の監視情報記憶エリア３４１に記憶されている監視情報について、図９を参照して説明する。図９は、監視情報記憶エリア３４１の模式図である。図９に示すように、監視情報記憶エリア３４１には、データＮＯ欄、日付欄、時刻欄、監視場所欄、状態欄、内容欄、認証欄、送信状況欄が設けられている。データＮＯ欄には、監視情報のレコード番号が「１」から順にセットされている。日付欄及び時刻欄にはエラーが発生又は回復した日付及び時刻がそれぞれセットされ、監視場所欄には監視場所を示すコードがセットされ、状態欄にはエラーが発生したか回復したかの状態がセットされ、内容欄にはエラーの内容がセットされ、認証欄にはそのエラーの派生又は回復が認証中である場合に認証とした認証コードがセットされ、送信状況欄は登録済みのＨＴ４００毎にその情報を送信したか否かのコードがセットされる。尚、状態欄はエラーが発生した場合に「１」、エラーが回復した場合に「２」がセットされる。また、内容欄には監視タグ８６と通信できない応答エラーの場合に「１」、通信した監視タグ８６のＩＤコードがあらかじめ登録されたものと異なる場合に「２」がセットされる。また、送信状況欄には送信済の場合に「１」、未送信の場合に「０」がセットされる。尚、送信状況欄のＨＴ番号「１００１」及び「１００２」以外のＨＴ４００についての情報は省略されている。
【００５７】
図９に示す例では、データＮＯ「１」〜「３１１」までのレコードは省略されており、データＮＯ「３１２」は、２００４年７月１６日１２：０５：３０に第３監視場所において応答エラーが認証ＩＤ「４ＳＨ５Ｔ８Ｒ６」で認証状態中に発生したことを記録しており、このデータはＨＴ番号「１００１」及び「１００２」のＨＴ４００に送信されている。データＮＯ「３１３」は、２００４年７月１６日１２：０６：２５に第３監視場所において応答エラーが認証ＩＤ「４ＳＨ５Ｔ８Ｒ６」で認証状態中に回復したことを記録しており、このデータはＨＴ番号「１００１」及び「１００２」のＨＴ４００に送信されている。データＮＯ「３１４」は、２００４年７月１９日２：１２：５５に第３監視場所において応答エラーが発生したことを記録しており、このデータはＨＴ番号「１００１」のＨＴ４００には送信されているが、ＨＴ番号「１００２」には送信されていない。データＮＯ「３１５」は、２００４年７月１９日２：１５：４０に第３監視場所において応答エラーが回復したことを記録しており、このデータはＨＴ番号「１００１」のＨＴ４００には送信されているが、ＨＴ番号「１００２」には送信されていない。データＮＯ「３１６」は、２００４年７月１９日２：１５：４１に第１監視場所においてＩＤエラーが発生したことを記録しており、このデータはＨＴ番号「１００１」のＨＴ４００には送信されているが、ＨＴ番号「１００２」には送信されていない。データＮＯ「３１７」は、２００４年７月２０日８：４２：１５に第３監視場所において応答エラーが認証ＩＤ「１５ＥＲＧＥ３２」で認証状態中に発生したことを記録しており、このデータはＨＴ番号「１００１」及び「１００２」のＨＴ４００の両方にまだ送信されていない。データＮＯ「３１８」は、２００４年７月２０日８：４５：２１に第３監視場所において応答エラーが認証ＩＤ「１５ＥＲＧＥ３２」で認証状態中に回復したことを記録しており、このデータはＨＴ番号「１００１」及び「１００２」のＨＴ４００の両方にまだ送信されていない。データＮＯ「３１９」は、２００４年７月２０日８：４５：２２に第１監視場所においてＩＤエラーが認証ＩＤ「１５ＥＲＧＥ３２」で認証状態中に回復したことを記録しており、このデータはＨＴ番号「１００１」及び「１００２」のＨＴ４００の両方にまだ送信されていない。データＮＯ「３２０」は、２００４年７月２１日１１：２１：３３に第３監視場所において応答エラーが発生したことを記録しており、このデータはＨＴ番号「１００１」及び「１００２」のＨＴ４００の両方にまだ送信されていない。データＮＯ「３２１」は、２００４年７月２１日１１：２１：３５に第３監視場所において応答エラーが回復したことを記録しており、このデータはＨＴ番号「１００１」及び「１００２」のＨＴ４００の両方にまだ送信されていない。
【００５８】
７．監視情報参照処理の説明
本実施の形態では、ＨＴ４００で種々の条件を指定して、Ｒ／Ｗユニット３０に記憶されている監視情報を閲覧することができる。そこで、図１０乃至図１４を参照して、監視情報参照時にＨＴ４００の表示パネル４０３に表示される画面について説明する。図１０は、メインメニュー画面５０１のイメージ図であり、図１１は、監視情報取得画面５０２のイメージ図であり、図１２は、監視情報取得処理の条件指定画面５０３のイメージ図であり、図１３は、監視情報取得処理の表示画面５０４のイメージ図であり、図１４は、監視情報取得処理の表示画面５０５のイメージ図である。
【００５９】
まず、図１０を参照して、メインメニュー画面５０１について説明する。このメインメニュー画面５０１はＨＴ４００を起動させると表示される画面である。図１０に示すようにメインメニュー画面５０１には、「監視情報取得」メニュー、「設定」メニュー、「その他」メニュー、「終了」の各ボタンが表示されている。「監視情報取得」メニューが選択されると、図１１に示す監視情報取得画面５０２が表示され、本発明の要部である監視情報の閲覧を行うことができる。「設定」メニューが選択されると、遊技機監視システムに関する各種設定を行うことができ、「その他」メニューが選択されると、ＨＴ４００に関する各種処理を行うことができる。「終了」が選択されると、ＨＴ４００は終了処理が行われて電源がＯＦＦされる。
【００６０】
次に、図１１を参照して、監視情報取得画面５０２について説明する。図１１に示すように監視情報取得画面５０２には、「最新」、「条件指定」、「全件」、「終了」の各ボタンが表示されている。「最新」が選択されると、当該ＨＴ４００に受信していないデータをＲ／Ｗユニット３０から受信し、図１３に示す表示画面５０４のように表示される。「条件指定」が選択されると、図１２に示す条件指定画面５０３が表示され、Ｒ／Ｗユニット３０から受信したいデータの条件を入力することができ、そしてその条件に合致したデータを受信し、図１４に示す表示画面５０５のように表示される。「全件」が選択されると、ＨＴ４００から全件の監視情報を受信し、表示される。「終了」が選択されると、監視情報取得メニューを終了して、メインメニュー画面５０１へ戻る。
【００６１】
次に、図１２を参照して、監視情報取得処理の条件指定画面５０３について説明する。図１２に示すように監視情報取得処理の条件指定画面５０３には、条件指定の入力項目として、データ種類欄、期間欄、エラー内容欄、場所欄、認証者欄、データＮＯ欄、受信状況欄が設けられ、さらに「送信」ボタン及び「キャンセル」ボタンが設けられている。
【００６２】
データ種類欄は、リストボックスから選択できるようになっており、監視情報のうち全てのデータである「全てのデータ」、認証状態中に発生したデータである「認証中の監視データ」、認証状態中でない状態（監視状態）に発生したデータである「監視中のデータ」の３種類から選択することができる。そして期間欄は、期間の始まりから終わりの日時を、それぞれ年、月、日、時、分のリストボックスから数値を選択することにより指定することができる。エラー内容欄もリストボックスから選択できるようになっており、監視タグ８６と通信できなくなったことによるエラーである「応答エラー」と、ＩＤコードの異なる監視タグ８６と通信していることをしめす「ＩＤエラー」との２種類から選択することができる。場所欄もリストボックスから選択できるようになっており、主基板４１が収容されている主基板ボックス８１を「ボックス」、第２監視場所である本体枠１１０と機枠１１２を「本体」、第３監視場所である前面枠１１１と本体枠１１０を「扉」として、「ボックス」、「本体」、「扉」の３種類から選択することができる。認証者欄はテキストボックスであり、認証カード９９を所有している係員の氏名又は認証コードを入力して、人称状態とした人物を特定することができる。データＮＯ欄は２つのテキストボックスであり、データＮＯの始まりＮＯと終わりＮＯを入力することができる。受信状況欄はリストボックスから選択できるようになっており、全てのデータを示す「全て」、受信済みのデータのみを示す「済」、未受信のデータのみを示す「未済」の３種類から選択できるようになっている。尚、認証ＩＤは、その認証ＩＤの認証カード９９を所持している店員の氏名等の情報と共にＲＡＭ４１３に記憶されている。
【００６３】
図１２に示す例では、データ種類として「認証中のデータ」が選択されており、期間として２００４年７月１０日１０：１２から２００４年７月１２日２４：００が指定されており、エラー内容として「応答エラー」が指定され、監視場所として「扉」が指定され、認証者及びデータＮＯの指定はなく、受信状況で「すべて」が指定されている。
【００６４】
次に、図１３を参照して、監視情報取得処理の表示画面５０４について説明する。図１３に示すように監視情報取得処理の表示画面５０４には、パチンコ機１の台番号が画面右上に表示され、「最新データ」の文言と共に受信した抽出情報が表示されている。図１３に示す例は、ＨＴ番号１００２において、監視情報取得画面５０２において「最新」メニューが実施された際に、図９に示した監視情報記憶エリア３４１からデータが抽出された場合の例であり、２００４年７月１９日２：１２：５５に扉において応答エラーが発生したデータ、２００４年７月１９日２：１５：４０に扉において応答エラーが回復したデータ、２００４年７月１９日２：１５：４１にボックスにおいてＩＤエラーが発生したデータ、２００４年７月２０日８：４２：１５に扉において応答エラーが認証ＩＤが「１５ＥＲＧＥ３２」の認証カード９９を使用した田中という名前の係員により認証状態とされている間に発生したデータ、２００４年７月２０日８：４５：２１に扉において応答エラーが認証ＩＤが「１５ＥＲＧＥ３２」の認証カード９９を使用した田中という名前の係員により認証状態とされている間に回復したデータ、２００４年７月２０日８：４５：２２にボックスにおいてＩＤエラーが認証ＩＤが「１５ＥＲＧＥ３２」の認証カード９９を使用した田中という名前の係員により認証状態とされている間に回復したデータ、２００４年７月２１日１１：２１：３３に扉において応答エラーが発生したデータ、２００４年７月２１日１１：２１：３５に扉において応答エラーが回復したデータが表示されている。さらに、「終了」ボタンが表示されており、この「終了」ボタンが選択されると、メインメニュー画面５０１へ戻る。
【００６５】
次に、図１４を参照して、監視情報取得処理の表示画面５０５について説明する。図１４に示すように監視情報取得処理の表示画面５０５には、指定された条件及び受信した監視情報が表示される。図１４に示すように監視情報取得処理の表示画面５０５には、パチンコ機１の台番号が画面右上に表示され、条件指定画面５０３で指定された条件が表示されている。図１４に示す例では、認証者として認証コードが「４ＳＨ５Ｔ８Ｒ６」の認証カード９９を所持している係員鈴木が認証状態としている間に発生した監視情報で、２００４年７月１日から２００４年７月２０日に作成されたものという条件が表示されている。そして、抽出された監視情報として、２００４年７月１６日１２：０５：３０に扉において応答エラーが発生したデータ、２００４年７月１６日１２：０６：２５に第１監視場所において応答エラーが回復したデータが表示されている。さらに、「終了」ボタンが表示されており、この「終了」ボタンが選択されると、メインメニュー画面５０１へ戻る。
【００６６】
次に、図１５を参照して、ＨＴ４００を用いて監視情報を参照する際の処理の流れについて説明する。図１５は、監視情報参照時の処理の流れ図である。まず、ＨＴ４００の監視情報取得画面５０２において、「最新」ボタン若しくは「全件」ボタンを選択すること、又は、条件指定画面５０３で抽出条件を入力して「送信」ボタンを選択することにより、条件の指定をし（Ｓ２０１）、取得指示情報を含む呼出波をパチンコ機１の前面に設置されている中継タグ２４へ向けて送信する（Ｓ２０２）。すると、中継タグ２４では、アンテナ２４ｂでその呼出波を受信し（Ｓ３０１）、ＲＦ回路２４ａにより呼出波に含まれている取得指示情報を読み出してＲ／Ｗユニット３０へ送信する（Ｓ３０２）。Ｒ／Ｗユニット３０ではＩ／Ｏインタフェイス３７を介して取得指示情報を受信すると（Ｓ４０１）、その取得指示情報の条件に基づいて監視情報記憶エリア３４１からデータを抽出し（Ｓ４０２）、抽出したデータである抽出情報をＩ／Ｏインタフェイス３７を介して送信する（Ｓ４０３）。中継タグ２４では、抽出情報を受信すると（Ｓ３０３）、その抽出情報を含む反射波を生成してアンテナ２４ｂから送信する（Ｓ３０４）。そして、ＨＴ４００ではアンテナ４０２で反射波を受信すると（Ｓ２０３）、ＲＦ回路４１０で反射波に含まれる抽出情報を読み出し、そして表示パネル４０３へ抽出情報を表示する（Ｓ２０４）。
【００６７】
またここで、図１６を参照して取得指示情報について説明する。図１６は、取得指示情報の模式図である。図１６に示すように、取得指示情報には、データ種別、データ種類、開始期間、終了期間、エラー内容、場所、認証者、開始データＮＯ、終了データＮＯ、受信状況がデータ項目として設けられている。データ種別へは、この情報が取得指示情報であることを示すコード（例えば、頭１桁目が「１」、下４桁がＨＴ番号）がセットされる。また、データ種類には、条件指定画面５０３のデータ種類欄に入力された内容が反映される。例えば、「全てのデータ」では「１」、「認証中の監視データ」では「２」、「監視中のデータ」では「３」となる。また、開始期間及び終了期間には、条件指定画面５０３の期間欄に入力された値が反映される。また、エラー内容にはエラー内容欄で入力された内容が反映され、例えば、「応答エラー」では「１」、「ＩＤエラー」では「２」となる。また、場所には場所欄に入力された内容が反映され、例えば、「ボックス」では「１」、「本体」では「２」、「扉」では「３」となる。そして、認証者には認証者欄に入力された内容がセットされ、開始データＮＯ及び終了データＮＯではデータＮＯ欄に入力された値が反映される。そして、受信状況には受信状況欄の値が入力され、例えば、「全て」では「１」、「済」では「２」、「未済」では「３」がセットされる。尚、何れのデータ項目においても、条件指定画面５０３で入力が成されていない（選択されていない）場合には、「０」がセットされる。
【００６８】
図１６に示す例は、図１２に示す条件指定画面５０３の入力内容により作成された取得指示情報であり、データ種別はＨＴ番号１００１のＨＴ４００からの取得指示情報であることを示す「１１００２」、データ種類は認証中のデータを示す「２」、開始期間は２００４年７月１０日１０時１２分を示す「２００４０７１０１０１２」、終了期間は２００４年７月１２日２４時を示す「２００４０７１２２４００」、エラー内容は応答エラーを示す「１」、場所は扉を示す「３」、認証者は入力されていないので「０」、開始データＮＯ及び終了データＮＯは入力されていないので「０」、受信状況は全てを示す「１」がセットされている。
【００６９】
８．ＨＴ４００の動作の説明
ここで、図１７乃至図１９のフローチャートを参照して、ＨＴ４００の動作の詳細について説明する。図１７はＨＴ４００で行われるＨＴメイン処理のフローチャートであり、図１８は、ＨＴメイン処理の中で実施される監視情報取得処理のフローチャートであり、図１９は、監視情報取得処理の中で実施されるエラー条件指定処理のフローチャートであり、図２０は、監視情報取得処理の中で実施される受信表示処理のフローチャートである。
【００７０】
ＨＴメイン処理は、ＨＴ４００に電源が入れられると起動する。まず、ＲＯＭ４１２等の記憶手段の動作確認、各種変数への初期値の設定等の初期処理が行われ（Ｓ１０１）、メインメニュー画面５０１が表示パネル４０３へ表示される（Ｓ１０２）。そして、「監視情報取得」ボタンが選択されたか否かの判断（Ｓ１０３）、「設定」ボタンが選択されたか否かの判断（Ｓ１０４）、「その他」ボタンが選択されたか否かの判断（Ｓ１０５）、「終了」ボタンが選択されたか否かの判断（Ｓ１０６）が繰り返し実施される。「監視情報取得」ボタンが選択されると（Ｓ１０３：ＹＥＳ）、監視情報取得処理が行われ（Ｓ１０７）、Ｓ１０３へ戻る。この監視情報取得処理については、図１８を参照して後に詳述する。また、「設定」ボタンが選択されると（Ｓ１０４：ＹＥＳ）、設定処理が行われ（Ｓ１０８）、Ｓ１０３へもどる。この設定処理では、監視場所の追加や変更、各監視場所の監視タグ８６のＩＤコードの変更、認証カード（認証ＩＤ）の追加、認証ＩＤの変更など、遊技機監視システムに関する各種設定を行うことができる。また、「その他」ボタンが選択されると（Ｓ１０５：ＹＥＳ）、その他の処理が行われ（Ｓ１０９）、Ｓ１０３へ戻る。このその他の処理では、ＨＴ４００に関する各種処理を行うことができる。「終了」が選択されると（Ｓ１０６：ＹＥＳ）、ＨＴ４００はパワーオフのための終了処理が行われて（Ｓ１１０）、パワーオフされ、終了する。
【００７１】
次に、図１８のフローチャートを参照して、監視情報取得処理について説明する。まず、監視情報取得画面５０２が表示パネル４０３に表示される（Ｓ１２１）、そして、「最新」ボタンが選択されたか否かの判断（Ｓ１２２）、「条件指定」ボタンが選択されたか否かの判断（Ｓ１２３）、「全件」ボタンが選択されたか否かの判断（Ｓ１２４）、「終了」ボタンが選択されたか否かの判断（Ｓ１２５）が繰り返し実施される。
【００７２】
そこで、「最新」が選択されると（Ｓ１２２：ＹＥＳ）、抽出条件が「当該ＨＴ４００について受信が未済」であるデータの取得を指示する取得指示情報が作成され（Ｓ１２６）、取得指示情報を含む呼出波がアンテナ４０２から送信され（Ｓ１２７）、受信表示処理が行われる（Ｓ１２８、図２０参照）。そして、Ｓ１２２へ戻る。この受信表示処理では、Ｒ／Ｗユニット３０で抽出された抽出情報を受信すると、その抽出情報が表示パネル４０３へ表示される。「最新」が選択された場合には、抽出情報として当該ＨＴ４００がまだ受信していないデータが送信されてくるので、そのデータが図１３に示す表示画面５０４のように表示される。
【００７３】
また、「条件指定」が選択されると（Ｓ１２３：ＹＥＳ）、条件指定処理が行われる（Ｓ１２９、図１９参照）。この条件指定処理では、図１９に示すように、まず、条件指定画面５０３（図１２参照）が表示される（Ｓ１４１）。そして、入力の受付処理が行われる（Ｓ１４２）。その中で「送信」ボタンが選択された場合には（Ｓ１４３：ＹＥＳ）、抽出条件を条件指定画面５０３で入力（選択）されている内容としたデータ取得を指示する取得指示情報が作成され（Ｓ１４５）、その取得指示情報を含む呼出波がアンテナ４０２から送信される（Ｓ１４６）。そして、受信表示処理が行われ（Ｓ１４７、図２０参照）、受信表示処理が終了したら、監視情報取得処理のＳ１２２へ戻る。この受信表示処理では、Ｒ／Ｗユニット３０で抽出された抽出情報を受信すると、その抽出情報が表示パネル４０３へ表示される。「条件指定」が選択された場合には、条件指定画面５０３で入力された条件に基づいて抽出されたデータが抽出情報として送信されてくるので、その条件及びデータが図１４に示す表示画面５０５のように表示される。尚、「送信」が選択されず、「キャンセル」ボタンが選択された場合には（Ｓ１４４：ＹＥＳ）、何もせずに監視情報取得処理のＳ１２２へ戻る。尚、「送信」ボタンも「キャンセル」ボタンも選択されない場合には（Ｓ１４３：ＮＯ、Ｓ１４４：ＮＯ）、繰り返し入力の受付処理が行われる（Ｓ１４２）。
【００７４】
また、監視情報取得処理において「全件」が選択されると（Ｓ１２４：ＹＥＳ）、抽出条件を「全件」とした取得指示情報が作成され（Ｓ１３０）、その取得指示情報を含む呼出波がアンテナ４０２から送信される（Ｓ１３１）。そして、受信表示処理が行われ（Ｓ１３２、図２０参照）、受信表示処理が終了したら、監視情報取得処理のＳ１２２へ戻る。この受信表示処理では、Ｒ／Ｗユニット３０で抽出された抽出情報を受信すると、その抽出情報が表示パネル４０３へ表示される。「全件」が取得された場合には、Ｒ／Ｗユニット３０の監視情報記憶エリア３４１に記憶されている全ての監視情報のデータが抽出情報として送信されてくるので、それらのデータが表示パネル４０３に表示される。
【００７５】
また、「終了」が選択されると（Ｓ１２５：ＹＥＳ）、ＨＴメイン処理のＳ１０３へ戻る。尚、この際に監視情報取得画面５０２は閉じられる。
【００７６】
ここで、図２０のフローチャートを参照して、受信表示処理について説明する。ここでは、Ｒ／Ｗユニット３０から中継タグ２４を介して返送された反射波から抽出情報を取り出し、表示パネル４０３へ表示する処理が行われる。
【００７７】
まず、所定時間（例えば５秒）以内に反射波をアンテナ４０２が受信したか否かの判断が行われ（Ｓ１５１）、所定時間以内に反射波を受信しない場合には（Ｓ１５１：ＮＯ）、「正常に通信できませんでした」等のエラーメッセージが表示され（Ｓ１５２）、監視情報取得処理又は条件指定処理へ戻る。
【００７８】
反射波を受信した場合には（Ｓ１５１：ＹＥＳ）、反射波に含まれているＩＤコードが、登録済みの中継タグ２４のＩＤコードと一致するか否かの判断が行われる（Ｓ１５３）。ＩＤコードが一致しない場合には（Ｓ１５３：ＮＯ）、中継タグ２４以外のＩＣタグと通信しているので、「中継タグとの通信を失敗しました」等のメッセージが表示され（Ｓ１５４）、監視情報取得処理又は条件指定処理へ戻る。
【００７９】
ＩＤコードが一致していた場合には（Ｓ１５３：ＹＥＳ）、反射波に抽出情報が含まれているかの判断が行われる（Ｓ１５５）。抽出情報でない情報が含まれている場合には（Ｓ１５５：ＮＯ）、「処理が正常に行われませんでした」等のメッセージが表示され（Ｓ１５６）、監視情報取得処理又は条件指定処理へ戻る。
【００８０】
抽出情報が含まれていた場合には（Ｓ１５５：ＹＥＳ）、その抽出情報及び抽出条件を表示したデータ表示画面（表示画面５０４や表示画面５０５等）が表示され（Ｓ１５７）、そのデータ表示画面中の「終了」ボタンが選択されたか否かの判断が行われて（Ｓ１５８）、「終了」ボタンが選択されるまでは（Ｓ１５８：ＮＯ）、繰り返し「終了」ボタン選択の判断が行われ（Ｓ１５８）、「終了」ボタンが選択されたら（Ｓ１５８：ＹＥＳ）、監視情報取得処理又は条件指定処理へ戻る。
【００８１】
９．Ｒ／Ｗユニット３０の動作の説明
次に、図２１乃至図２３のフローチャートを参照して、Ｒ／Ｗユニット３０の動作について説明する。図２１は、Ｒ／Ｗユニット３０で行われるメイン処理のフローチャートであり、図２２は、メイン処理の中で実施される監視処理のフローチャートであり、図２３は、メイン処理の中で実施されるＨＴ処理のフローチャートである。
【００８２】
まず、図２１のフローチャートを参照して、メイン処理について説明する。このメイン処理は、Ｒ／Ｗユニット３０に電源が供給されると、ＣＰＵ３２において実行され、認証処理、各監視場所の監視処理、ＨＴ４００との通信による処理であるＨＴ処理が繰り返し実施される。まず、各エラーフラグに初期値の「０」がセットされる等の初期処理が行われる（Ｓ１）。エラーフラグは、「０」が記憶されている場合には監視タグ８６との通信が正常に行われており、「１」が記憶されている場合には監視タグ８６との通信が正常に行われていないこと、つまり異常が発生していることを示している。そして、第１監視場所〜第３監視場所毎に応答エラーフラグ及びＩＤエラーフラグが設けられている。尚、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。
【００８３】
次いで、認証処理が行われる（Ｓ２）。この認証処理では、カード読み取り器９０に設置されている認証アンテナ６９から呼出波を送信し、認証カード９９の認証タグ９６から反射波が返送されてくるか否かの判断が行われ、予め登録されているＩＤコードを含む反射波を受信したら、Ｒ／Ｗユニット３０を「認証状態」とする。また、「認証状態」中においては、呼出波を送信しても反射波が返送されてこなかった場合には「認証状態」を解除する。
【００８４】
次いで、主基板ボックス８１（第１監視場所）（Ｓ３）、本体枠１１０と機枠１１２（第２監視場所）（Ｓ４）、前面枠１１１と本体枠１１０（第３監視場所）（Ｓ５）の順で監視が行われる。この監視処理については、図２２に示すフローチャートを参照して、後に詳述するが、どの監視場所の監視処理を行うのかの情報は、監視場所を示す番号を用いて監視処理に指示される。
【００８５】
次いで、ＨＴ処理が行われる（Ｓ６、図２３参照）。このＨＴ処理では、中継タグ２４がＨＴ４００送信された呼出波をＲＦ回路２４ａに接続したアンテナ２４ｂで受信すると、その呼出波に含まれている情報をＩ／Ｏインタフェイス３７を介して、Ｒ／Ｗユニット３０のＣＰＵ３２へ送信している。そこで、ＨＴ処理ではこの情報をこの受信すると、その情報で指示されている処理が行われ、その結果がＩ／Ｏインタフェイス３７を介して中継タグ２４へ伝えられる。
【００８６】
次に、図２２のフローチャートを参照して、監視処理について説明する。まず、メイン処理から指示されている監視場所の監視アンテナ６８から呼出波が送信される（Ｓ４１）。そして、監視タグ８６から反射波の返送があるか否かの判断が行われる（Ｓ４２）。反射波の返送がない場合には（Ｓ４２：ＮＯ）、応答エラーが発生している。しかし、既に応答エラーが発生して、応答エラーフラグが「ＯＮ」となっている場合には、既に応答エラー発生の監視情報は記憶されているので、監視情報の記憶は行われない。そこで、応答エラーフラグが「ＯＮ」となっているか否かの判断が行われる（Ｓ４３）。
【００８７】
応答エラーフラグが「ＯＮ」となっている場合（Ｓ４３：ＹＥＳ）、そのまま処理は終了されて、メイン処理へ戻る。「ＯＮ」となっていない場合（Ｓ４３：ＮＯ）には、当該監視場所の応答エラーフラグに「１」が記憶され「ＯＮ」となる（Ｓ４４）。そして、Ｒ／Ｗユニット３０のＲＡＭ３４の監視情報記憶エリア３４１に監視情報が記憶される（Ｓ４５）。具体的には、データＮＯ欄には最新のデータＮＯに「１」加算された値、日付欄に本日日付、時刻欄に現在の時刻、監視場所欄に当該監視場所の番号、状態欄に発生を示す「１」、内容欄に応答エラーを示す「１」、認証欄に「認証状態」であれば認証状態とした認証タグのＩＤコード、送信状況欄に全て未送信を示す「０」がセットされた新しいレコードが追加記憶される。そして、島管理端末１００へ応答エラー発生を示すデータが送信され（Ｓ４６）、処理は終了されて、メイン処理へ戻る。
【００８８】
また、監視タグ８６から反射波の返送があった場合には（Ｓ４２：ＹＥＳ）、反射波に含まれているＩＤコードが予め登録されているものと一致しているか否かの判断が行われる（Ｓ５１）。尚、各監視場所に備えられている監視タグ８６のＩＤコードは監視場所を示すコードに対応してＲ／Ｗユニット３０のＥＥＰＲＯＭ３５に記憶されている。ＩＤコードが一致していない場合には（Ｓ５１：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行わない。そこで、ＩＤエラーフラグが「ＯＮ」となっているか否かの判断が行われる（Ｓ５２）。
【００８９】
ＩＤエラーフラグが「ＯＮ」となっている場合（Ｓ５２：ＹＥＳ）、監視情報は記憶されないので、そのまま処理は終了されて、メイン処理へ戻る。「ＯＮ」となっていない場合（Ｓ５２：ＮＯ）、当該監視場所のＩＤエラーフラグに「１」が記憶され「ＯＮ」とされる（Ｓ５３）。そして、監視情報記憶エリア３４１に監視情報が記憶される（Ｓ５４）。具体的には、データＮＯ欄には最新のデータＮＯに「１」加算された値、日付欄に本日日付、時刻欄に現在の時刻、監視場所欄に当該監視場所の番号、状態欄に発生を示す「１」、内容欄にＩＤエラーを示す「２」、認証欄に「認証状態」であれば認証状態とした認証タグのＩＤコード、送信状況欄に全て未送信を示す「０」がセットされた新しいレコードが追加記憶される。そして、島管理端末１００へＩＤエラー発生を示すデータが送信され（Ｓ５５）、処理は終了されて、メイン処理へ戻る。
【００９０】
また、反射波に含まれているＩＤコードと予め登録されているＩＤコードとが一致している場合には（Ｓ５１：ＹＥＳ）、監視タグ８６と正常に通信が行われており、監視タグ８６も不正なものではないということ、すなわち、当該監視場所は正常であるということになる。そこで、応答エラーフラグ及びＩＤエラーフラグが「ＯＮ」であるかの確認が行われる。「ＯＮ」となっている場合には、エラーが発生しており、回復して、現在正常となっているので、各エラーフラグをクリアし、回復したことを示す監視情報を記憶する必要がある。
【００９１】
そこで、まず、応答エラーフラグが「ＯＮ」であるか否かの判断が行われる（Ｓ６１）。応答エラーフラグが「ＯＮ」である場合には（Ｓ６１：ＹＥＳ）、当該監視場所の応答エラーフラグに「０」が記憶されて「ＯＦＦ」とされる（Ｓ６２）。そして、監視情報記憶エリア３４１に監視情報が記憶される（Ｓ６３）。具体的には、データＮＯ欄には最新のデータＮＯに「１」加算された値、日付欄に本日日付、時刻欄に現在の時刻、監視場所欄に当該監視場所の番号、状態欄に回復を示す「２」、内容欄に応答エラーを示す「１」、認証欄に「認証状態」であれば認証状態とした認証タグのＩＤコード、送信状況欄に全て未送信を示す「０」がセットされた新しいレコードが追加記憶される。そして、島管理端末１００へ応答エラー回復を示すデータが送信され（Ｓ６４）、処理は終了されて、メイン処理へ戻る。
【００９２】
また、応答エラーフラグが「ＯＮ」でない場合には（Ｓ６１：ＮＯ）、ＩＤエラーフラグが「ＯＮ」であるか否かの判断が行われる（Ｓ６５）。ＩＤエラーフラグが「ＯＮ」である場合には（Ｓ６５：ＹＥＳ）、当該監視場所のＩＤエラーフラグに「０」が記憶されて「ＯＦＦ」とされる（Ｓ６６）。そして、監視情報記憶エリア３４１に監視情報が記憶される（Ｓ６７）。具体的には、データＮＯ欄には最新のデータＮＯに「１」加算された値、日付欄に本日日付、時刻欄に現在の時刻、監視場所欄に当該監視場所の番号、状態欄に回復を示す「２」、内容欄にＩＤエラーを示す「２」、認証欄に「認証状態」であれば認証状態とした認証タグのＩＤコード、送信状況欄に全て未送信を示す「０」がセットされた新しいレコードが追加記憶される。そして、島管理端末１００へＩＤエラー回復を示すデータが送信され（Ｓ６８）、処理は終了されて、メイン処理へ戻る。
【００９３】
そして、ＩＤエラーフラグが「ＯＮ」でない場合には（Ｓ６５：ＮＯ）、前回の監視から引き続き正常であることを示しているので、そのまま処理は終了されて、メイン処理へ戻る。以上のようにして、第１監視場所〜第３監視場所の監視が行われる。
【００９４】
次に、ＨＴ処理について図２３のフローチャートを参照して説明する。まず、中継タグ２４から取得指示情報を受信したか否かの判断が行われる（Ｓ１１）。取得指示情報を受信していれば（Ｓ１１：ＹＥＳ）、その取得指示情報で指定されている条件に従って、監視情報記憶エリア３４１に記憶されている監視情報のレコードが抽出され（Ｓ１２）、それらのレコードで抽出情報が作成される（Ｓ１３）。例えば、図１６に示すような取得指示情報であれば、全ての監視情報から２００４年７月１０日１０時１２分以降かつ、２００４年７月１２日２４時以前のレコードであり、認証欄に認証コードがセットされているレコードであり、エラー内容欄が「１」であり、監視場所欄が「３」であるレコードが抽出される。そして、その抽出情報がＩ／Ｏインタフェイス３７を介して中継タグ２４へ送信される（Ｓ１４）。そして、メイン処理へ戻る。
【００９５】
また、受信した情報が取得指示情報でなかった場合には（Ｓ１１：ＮＯ）、その他の指示情報であるか否かの判断が行われ（Ｓ１５）、その他の指示情報であれば（Ｓ１５：ＹＥＳ）、それらの指示に基づいた処理（例えば、監視場所の追加や変更、各監視場所の監視タグ８６のＩＤコードの変更、認証カードの追加、認証ＩＤの変更など）が行われる（Ｓ１６）。そしてメイン処理へ戻る。また、その他の指示情報でもなければ（Ｓ１５：ＮＯ）、なにもせずにメイン処理へ戻る。
【００９６】
以上のようにして、ＨＴ４００を操作してＲ／Ｗユニット３０に記憶されている監視情報を、種々の条件で抽出して閲覧することができる。
【００９７】
１０．実施の形態と請求項との対比
ＲＡＭ３４の監視場所情報記憶エリアが「識別情報記憶手段」に該当し、図９に示すＲ／Ｗユニット３０のＲＡＭ３４の監視情報記憶エリア３４１が「監視情報記憶手段」に該当し、監視情報の１つ１つのレコードが「個別データ」に該当する。また、中継タグ２４が「第１通信手段」に該当し、アンテナ４０２及びＲＦ回路４１０が「第２通信手段」に該当する。図２２に示す監視処理のＳ４２，Ｓ５１の処理を実行するＲ／Ｗユニット３０のＣＰＵ３２が「エラー判断手段」に相当する。また、図２３に示すＨＴ処理のＳ１１の処理を実行するＲ／Ｗユニット３０のＣＰＵ３２が「取得指示情報受信手段」に相当し、Ｓ１３の処理を実行するＣＰＵ３２が「抽出手段」に相当し、Ｓ１４の処理を実行するＣＰＵ３２が「監視情報送信手段」に相当し、Ｓ１３の処理を実行する際に、「送信状況」欄の値が「１」であるか否かを判断するＣＰＵ３２が「判断手段」に相当する。
【００９８】
また、図１８に示す監視情報取得処理のＳ１２７，Ｓ１３１、図１９に示す条件指定処理のＳ１４６の処理を行うＨＴ４００のＣＰＵ４１１が「取得指示情報送信手段」に相当し、図２０に示す受信表示処理のＳ１５１，Ｓ１５３，Ｓ１５５の処理を行うＣＰＵ４１１が「監視情報受信手段」に相当し、Ｓ１５７の処理を行うＣＰＵ４１１が「表示制御手段」に相当する。図１９に示す条件指定処理のＳ１４１、Ｓ１４２の処理を行い、図１２に示す条件指定画面５０３を表示し、入力の受付を行うＣＰＵ４１１が「条件指定手段」に相当する。
【００９９】
１１．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【０１００】
また、上記実施の形態では、被監視部材としてパチンコ機１の主基板ボックス８１、本体枠１１０と機枠１１２、前面枠１１１と本体枠１１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。また、監視タグを設置する場所は各部材に一箇所である必要はなく、複数の位置に設置してもよい。さらに、遊技機がパチンコ機１でない場合にはもちろん、移動を監視される部材は上記実施の形態の部材に限らず、遊技機に備えられ、開閉が行われる開閉部材や装置を構成する構成部材であればよく、開閉部材の開閉や構成部材の所在を監視するために、１つ又は複数の監視タグを開閉部材や構成部材に設置して、その部材の移動を監視してもよい。
【０１０１】
また、上記実施の形態では、ＨＴ４００としてＰＤＡの形状をしている端末装置を使用したが、これはＰＤＡに限らず、携帯電話や他の携帯情報端末や専用機でも構わず、ＲＦ回路３８を備え、Ｒ／Ｗユニット３０の中継タグ２４と通信を行うことができるものであればよい。また、中継タグ２４の設置位置はパチンコ機１の前面上部でなくとも、前面側にあり、ＨＴ４００のアンテナ４０２を向けたときに通信をし易い位置であればよい。また、Ｒ／Ｗユニット３０の設置位置もパチンコ機１の背面のセンターカバー８０でなくともよく、カード読取装置９０と一体化させてパチンコ機１の上部等、パチンコ機１の近傍に設置してもよい。また、第１通信手段は中継タグ２４（ＩＣタグ）でなくともよく、ＨＴ４００とＲ／Ｗユニット３０との通信方法は赤外線通信等の無線通信や、ケーブル等を用いた有線通信であってもよい。また、その際には、第１通信手段に対応した通信手段が第２通信手段となり、例えば手段方法が赤外線通信による場合には、第１通信手段及び第２通信手段は赤外線通信回路となる。
【０１０２】
また、上記実施の形態では、監視情報をＲＡＭ３４の監視情報記憶エリア３４１のみに記憶しているが、監視タグ８６のＥＥＰＲＯＭ８６３やＲ／Ｗユニット３０のＥＥＰＲＯＭ３５に記憶してもよい。また、例えば、Ｒ／Ｗユニット３０のＥＥＰＲＯＭ３５では、履歴として記憶するのではなく最新のデータのみ記憶し、その監視場所の現在の状況のみを記録するようにしてもよい。また、上記実施の形態では、監視情報に認証状態中でのデータも記憶しているが、認証状態中のデータのみを、例えば作業情報として別の記憶エリアに記憶し、監視情報には認証状態でない際に発生したデータのみ記憶するようにしてもよい。また、上記実施の形態では、監視情報記憶エリア３４１において日付欄及び時刻欄に、データが記憶された日付及び時刻がセットされているが、この日付及び時刻はＳ４２又はＳ５２の判断処理が実施された日付及び時刻であっってもよい。
【０１０３】
また、条件指定画面５０３は、図１２に示すようなものに限らない。リストボックスを使用している入力項目においてもテキストボックスを使用したり、その他のＧＵＩ（グラフィカル・ユーザー・インタフェイス）を使用してもよい。また、例えば、期間を指定する場合においては、具体的な日時を入力するのではなく、現在から所定時間前、所定日数前、所定月数前というよいうに現在からさかのぼる期間を入力させるようにしてもよい。また、入力項目は上記実施の形態で説明したものに限らず、監視情報において他のデータ項目を有し、そのデータ項目についての検索を実施できるようにしてもよい。
【産業上の利用可能性】
【０１０４】
本発明の遊技機はパチンコ機１に限られず、パチコン機、パチスロ機等の各種の遊技機に適用可能である。
【図面の簡単な説明】
【０１０５】
【図１】本実施の形態の遊技機監視システムの構成図である。
【図２】パチンコ機１の前面枠１１１及び本体枠１１０を開いた状態をパチンコ機１の前面から見た斜視図である。
【図３】パチンコ機１の背面図である。
【図４】パチンコ機１及びパチンコ機１に付属したＲ／Ｗユニット３０の電気的構成を示すブロック図である。
【図５】監視タグ８６ａ〜８６ｃの電気的回路構成を示すブロック図である。
【図６】中継タグ２４の電気的回路構成を示すブロック図である。
【図７】ＨＴ４００の斜視図である。
【図８】ＨＴ４００の電気的構成のブロック図である。
【図９】監視情報記憶エリア３４１の模式図である。
【図１０】メインメニュー画面５０１のイメージ図である。
【図１１】監視情報取得画面５０２のイメージ図である。
【図１２】監視情報取得処理の条件指定画面５０３のイメージ図である。
【図１３】監視情報取得処理の表示画面５０４のイメージ図である。
【図１４】監視情報取得処理の表示画面５０５のイメージ図である。
【図１５】監視情報参照時の処理の流れ図である。
【図１６】取得指示情報の模式図である。
【図１７】ＨＴ４００で行われるＨＴメイン処理のフローチャートである。
【図１８】ＨＴメイン処理の中で実施される監視情報取得処理のフローチャートである。
【図１９】監視情報取得処理の中で実施されるエラー条件指定処理のフローチャートである。
【図２０】監視情報取得処理の中で実施される受信表示処理のフローチャートである。
【図２１】Ｒ／Ｗユニット３０で行われるメイン処理のフローチャートである。
【図２２】メイン処理の中で実施される監視処理のフローチャートである。
【図２３】メイン処理の中で実施されるＨＴ処理のフローチャートである。
【符号の説明】
【０１０６】
１  パチンコ機
２４  中継タグ
２４ａ  ＲＦ回路
２４ｂ  アンテナ
２４ｆ  ＣＰＵ
３０  Ｒ／Ｗユニット
３２  ＣＰＵ
３４  ＲＡＭ
３５  ＥＥＰＲＯＭ
３８  ＲＦ回路
６８  監視アンテナ
６８ａ  監視アンテナ
６８ｂ  監視アンテナ
６８ｃ  監視アンテナ
６９  認証アンテナ
８６  監視タグ
８６ａ  監視タグ
８６ｂ  監視タグ
８６ｃ  監視タグ
９０  カード読み取り器
９６  認証タグ
９９  認証カード
３４１  監視情報記憶エリア
４００  ＨＴ
４０２  アンテナ
４０３  表示パネル
４１０  ＲＦ回路
４１１  ＣＰＵ
４１３  ＲＡＭ
４１４  フラッシュメモリ
５０１  メインメニュー画面
５０２  監視情報取得処理画面
５０３  条件指定画面
５０４  表示画面
５０５  表示画面
８６１  ＲＦ回路
８６２  アンテナ
８６３  ＥＥＰＲＯＭ
８６４  ＩＣチップ
【図１】
2006061423.tif 000003
【図２】
2006061423.tif 000004
【図３】
2006061423.tif 000005
【図４】
2006061423.tif 000006
【図５】
2006061423.tif 000007
【図６】
2006061423.tif 000008
【図７】
2006061423.tif 000009
【図８】
2006061423.tif 000010
【図９】
2006061423.tif 000011
【図１０】
2006061423.tif 000012
【図１１】
2006061423.tif 000013
【図１２】
2006061423.tif 000014
【図１３】
2006061423.tif 000015
【図１４】
2006061423.tif 000016
【図１５】
2006061423.tif 000017
【図１６】
2006061423.tif 000018
【図１７】
2006061423.tif 000019
【図１８】
2006061423.tif 000020
【図１９】
2006061423.tif 000021
【図２０】
2006061423.tif 000022
【図２１】
2006061423.tif 000023
【図２２】
2006061423.tif 000024
【図２３】
2006061423.tif 000025